(57)【要約】【課題】 披露宴の列席者には遠来者も多い。多忙なところをわざわざ御足労願っているわけである。新郎新婦としては本来、一人一人に対して列席に対するお礼を述べたいが現行ブライダルシーンは慌ただしい中に進行し、そのような機会がセッティングされていないのが通例である。新郎新婦の感謝の意をいち早く、スマートな形で列席者に伝えることができるおしゃれなメッセージアイテムがなかった。【解決手段】台紙の中央部分を山折りにし、自立する形状であって、台紙に突出したメッセージ欄を設け、そのメッセージ欄を覆い被せるカバーモチーフを設けた席札を作成した。【選択図】 図３
2014206693.tif 000002
【特許請求の範囲】
【請求項１】
自立式の席札であって、中央の山折り線より突出してメッセージを書き込むためのスペースを設けている席札。
【請求項２】
メッセージを隠すように覆いかぶさるように設けたカバーモチーフを設けた請求項１の席札
【発明の詳細な説明】
【技術分野】
【０００１】
本発明は、メッセージ書き込み欄を設けた自立式席札に関するものである。
【背景技術】
【０００２】
結婚披露宴会場では、予め各列席者に席が割り当てられ、テーブル上に列席者の氏名を記入した席札が配置される。
この席札は、所定の席割に従って列席者を案内するために使用されるだけのものであるから、少し厚手の紙に列席者の氏名が印字されている程度である。
各列席者が、開宴前に披露宴会場に入り、かかる席札を頼りに整然と着席すると、披露宴の開宴の運びとなる。席札はその後、披露宴終了時に引出物等と共に記念品として列席者により持ち帰られる。
【０００３】
上記のような結婚披露宴にまつわる一連の手順のなかで、新郎新婦と列席者の関係に着目すると、列席者には遠来者も多い。多忙なところを会場まで御足労願っているわけである。新郎新婦としては本来、一人一人に対して列席に対するお礼を述べたいと考える。仮にそれが叶わずとも、何らかの形で感謝の意をその会場内で個別に伝えることができれば誠に好都合である。
しかし、現行ブライダルシーンは慌ただしい中に進行し、そのような機会がセッティングされていないのが通例である。予め引出物等を入れる袋の中にこの種のカードを忍ばせておくことも考えられるが、別途にそれだけの為にカードを準備する手間もコストも掛かるし、カードを持ち帰っても直ぐには列席者の目に止まらないケースも考えられ、列席に対するお礼のメッセージはその後の時間経過とともに興ざめしたものになりがちである。
【０００４】
そこで新郎新婦は席札の空いているスペースにむき出し状態でメッセージを書き込むことがほとんどである。
【０００５】
メッセージを書き込める席札としては特許文献１に記載があるように、自立型席札であって、タイトルや列席者の氏名、その他メッセージを含む主催者側の記事を表示可能なレイアウトを施してなるものとされている。
しかし、席札の本来の目的である芳名部分が小さく、非常に見難いとともに、メッセージがむき出しなので煩雑に見える。
又、特許文献２に記載のある席札は、模様等が印刷された一枚状の紙片を、該紙片に予め形成される一対の折り目のうち手前側のものを谷折りし手先側のものを山折りして、手前側および手先側に山形状に起立する一対の傾斜折り片と、手前側傾斜折り片の下端縁からさらに手前側に続く水平折り片とで少なくとも構成すると共に、手前側傾斜折り片には出席者名を記すための記名欄が設けられ、水平折り片には新郎新婦のメッセージを記すためのメッセージ欄が設けられている。しかしこれもメッセージはむき出しになっており、煩雑にみえる。
【先行技術文献】
【特許文献】
【０００６】
【特許文献１】登録実用新案  第３０５９２１５号
【特許文献２】登録実用新案  第３０１４１７６号
【発明の概要】
【発明が解決しようとする課題】
【０００７】
披露宴の列席者には遠来者も多い。多忙なところをわざわざ御足労願っているわけである。新郎新婦としては本来、一人一人に対して列席に対するお礼を述べたいと考える。仮にそれが叶わずとも、何らかの形で感謝の意をその会場内で個別に伝えることができれば誠に好都合だと考えている。
しかし、現行ブライダルシーンは慌ただしい中に進行し、そのような機会がセッティングされていないのが通例である。
そこでお一人ずつに感謝の意をメッセージに表して席に配置することが望ましい。
しかし、メッセージをむき出し状態にすると、列席者とのプライベートな内容も癖がある字も丸見えで、きわめて不都合がある。メッセージを入れつつも、すっきりとおしゃれに見せるものがなかった。
常にメッセージが隠れた状態ではあるが、めくりあげるとすぐにメッセージを読むことが出来る。煩雑に見えないで、機能性に優れた全く新しいタイプの席札として提供しようとするものである。
【課題を解決する為の手段】
【０００８】
請求項１記載の発明は、自立式の席札であって、中央の山折り線より突出してメッセージを書き込むためのスペースを設けている席札である。
【０００９】
この発明によれば、列席者の一人一人に対して列席に対するお礼をメッセージとして会場内の中で完璧に伝えることが可能である。
またメッセージ欄を中央の山折り線より突出して設けることで、立体感が出てデザイン的にも大変おしゃれである。
【００１０】
請求項２記載の発明は、メッセージを隠すように覆いかぶさるように設けたカバーモチーフを設けた請求項１の席札である。
【００１１】
この発明によれば、ともすれば煩雑に見えるメッセージをむき出しにすることがないよう、隠す工夫をした。これにより、新たにサプライズの演出効果が得られた。
また、新郎新婦は列席者とのプライベートな内容も書き込むことができ、列席者との親近感を深める効果も望める。
また癖のある字を書く人にとっては、多くの人の目にさらすことが避けられるので、非常にストレスの緩和になる。
またメッセージ欄と同じ形のカバーモチーフにするとより立体感が出て、デザイン的にも大変おしゃれである。
【発明の効果】
【００１２】
本考案の自立式の席札は置いているだけの席札と違い、大変見やすい。
メッセージ欄が中央の山折り線より突出した形状なので立体的でおしゃれである。
本考案はメッセージ欄にメッセージが書けるので列席者の一人一人に対して列席に対するお礼をメッセージとして会場内の中で完璧に伝えることが可能である。
本考案は新郎新婦の書いたメッセージをカバーモチーフで隠せるので、席に着いたばかりの列席者はメッセージの存在に気付かない。司会者のアナウンスで初めて、新郎新婦からのお礼のメッセージの存在を知る。宴会ではそういった、新たなサプライズの演出効果が得られる。
また、カバーモチーフがあることにより、列席者とのプライベートな内容も書き込むことができ、列席者との親近感を深める効果も望める。
また癖のある字を書く人にとっては、このカバーモチーフがあることにより、多くの人の目に癖字をさらすことが避けられるので、非常にストレスの緩和になる。
【図面の簡単な説明】
【００１３】
【図１】メッセージ欄付き席札の正面図である。（実施例１）
【図２】メッセージ欄付き席札の背面図である。（実施例１）
【図３】メッセージ欄付き席札の組み立て前の展開図である。（実施例１）
【図４】メッセージ欄付き席札の組み立て後の正面斜視図である。（実施例１）
【図５】メッセージパーツの正面斜視図である。（実施例２）
【図６】メッセージパーツのモチーフ部分をめくり上げた図である。（実施例２）
【図７】メッセージパーツのモチーフ部分をめくり上げた断面図である。（実施例２）
【図８】メッセージパーツの背面斜視図である。（実施例２）
【図９】メッセージパーツ付き席札の組み立て前の台紙の展開図である。（実施例２）
【図１０】メッセージパーツ付き席札の組み立て途中の正面図である。（実施例２）
【図１１】メッセージパーツ付き席札の組み立て途中の背面図である。（実施例２）
【図１２】メッセージパーツ付き席札の組み立て後の正面図である。（実施例２）
【図１３】メッセージパーツ付き席札の組み立て後の背面図である。（実施例２）
【図１４】メッセージパーツ付き席札の組み立て後の正面斜視図である。（実施例２）
【発明を実施するための形態】
【実施例１】
【００１４】
図１〜図１４に記載の図面は細い実線は切り抜いている部分を表し、太い実線は物体の形状を表し、破線は折り線を表す。
図１〜図４を用いて実施例1について説明する。
実施例1のメッセージ欄付き席札は四六判サイズで１３０〜２００ｋｇ位の厚紙で一体型に形成したメッセージ欄付きの席札1ａである。
台紙９ａの中央部分４ａを山折りにし、自立する形状である。台紙９ａには印刷でクローバーの葉６ａと文字６ｂを描き、メッセージ欄５ａを設け、台紙９ａを山折りにした際、メッセージ欄５ａが突出できるように、上部の一部分３ｂを切り抜いた。またメッセージ欄５ａの真上にくっつく形で反転した少し大き目のクローバーを切り抜いたカバーモチーフ裏８ｂを設けている。
クローバーの葉のメッセージ欄５ａの右横にはゲストの芳名カード２をセットするための切り込み部３ａを設けている。メッセージ欄５ａは山折り線４ａより少し上に頭が出る形で配置した。
使い方は簡単で、台紙９ａに列席者の芳名カード２をセットし、メッセージ欄５aにお礼のメッセージなどを書き込み、折り線４ｂの所を手前に折り、ラインストーン７をカバーモチーフの表８ａに貼り付けて立てて置く。それだけである。
【００１５】
実施例１ではカバーモチーフの表８ａにダイヤモンドのように光るラインストーン７を貼り付けて華やかさを演出したが、ラインストーン７を貼らずに、裏面８ｂにも印刷を施したり、カバーモチーフの表８ａに手作業で色を塗ったり、イラストを描いたり、又、カバーモチーフ裏８ｂに写真を貼ったりと新郎新婦のセンスと個性が光るオリジナルの席札にすることも可能である。
席札を自立させたとき、メッセージ欄５ａの真上にカバーモチーフの表８ａが被さって二重になっており、絶妙な立体感がある。常にメッセージ欄５ａが隠れた状態ではあるが、めくりあげるとすぐにメッセージを読むことが出来る優れものである。
メッセージ欄５ａがあるにも関わらず、隠す工夫を施したので煩雑に見えない全く新しいタイプの席札として提供しようとするものである。
又、紙で一体型に形成しているのでコストが抑えられる。
この席札は「多機能でありながら安価な席札を手に入れたい。」そんな新郎新婦の願いを形にするものである。
【実施例２】
【００１６】
図５〜図１４を用いて実施例２について説明する。
実施例２のメッセージ欄付き席札１ｂは、四六判サイズで１３０〜２００ｋｇ位の厚紙で形成した席札にメッセージパーツを貼り付けた合体型のメッセージ欄付きの席札１ｂである。
台紙９ｂには印刷で文字６ｃを描き、台紙９ｂの中央部分４ｃを山折りにし、自立する形状になっている。
また台紙９ｂの中央部分４ｃには台紙９ｂを山折りにした際にメッセージパーツ貼り付け用突出部となる１１ａ，１１ｂを設けている。
台紙９ｂ手前側には、ゲストの芳名カード２をセットするための切り込み部３ｃを設けている。
メッセージパーツ１０は二重構造で、上部には高級感のある刺繍で色彩豊かに形成したカバーモチーフ８ｃがあり、下部にはメッセージを書き込めるスペースのメッセージ欄５ｃを設けている体をなす。
メッセージパーツ貼り付け用突出部１１ａもしくはメッセージパーツ貼り付け用突出部１１ｂにメッセージパーツ１０を貼り付け手段である貼り付けシール１２により貼り付ける。これでメッセージ欄５ｃは山折り線４ｃより少し上に頭が出る形で配置できる。
使い方は簡単で、台紙９ｂに列席者の芳名カード２をセットし、メッセージパーツ貼り付け用突出部１１ａもしくはメッセージパーツ貼り付け用突出部１１ｂにお礼などのメッセージを書き込んだメッセージパーツ１０を貼り付けシール１２で貼り付けて立てて置く。それだけである。
図１１と図１２ではメッセージパーツ１０を１つしか貼り付けていないが、メッセージパーツ１０を２つ貼付けて使用するのも面白い。
１つは新郎新婦がゲストに対しお礼のメッセージを、書き込んで貼付けて、もう一つはゲストに書き込んで頂く為に、メッセージ書き込み欄が空白のメッセージパーツ１０を貼り付けておく。司会者の号令のもとに、ゲストが取り外し、新郎新婦に対して、お祝いのメッセージを書き込んで頂いて、寄書き風に額に貼り替えるという使い方も出来る。
【００１７】
実施例２では、メッセージパーツ貼り付け用突出部１１ａ,１１ｂを２つ設けたが、メッセージパーツ貼り付け用突出部は１つでもよいことはもちろんである。
２つのうち１つのメッセージパーツ貼り付け用突出部に市販のかわいいシールを貼付してもよいし、使わない場合のメッセージパーツ貼り付け用突出部は折っておいてもよい。
実施例２では向かって左にメッセージ欄を設けたが、右に設けても構わない。
メッセージパーツを貼らない突起物にチャームなどを吊り下げて使用してもよい。
又、今回は豪華な刺繍で出来たカバーモチーフ８ｃを用いたが、ＵＶインクによる立体的な印刷や、トムソン加工による立体感を出した紙でカバーモチーフを作成してもよい。又カバーモチーフの裏８ｄに新郎新婦の写真を貼って使用してもよい。
実施例１と実施例２との合体型での実施も可能である。
【産業上の利用可能性】
【００１８】
本発明によれば、このメッセージ欄付き席札は従来品とは違い、ともすれば煩雑に見えるメッセージをむき出しにすることがないよう、隠す工夫をなした。これにより、新たにサプライズの演出効果が得られた。
また、新郎新婦は列席者とのプライベートな内容も書き込むことができ、列席者との親近感を深める効果も望める。
また癖のある字を書く人にとっては、多くの人の目にさらすことが避けられるので、非常にストレスの緩和になる。
またメッセージ欄と同じ形のカバーモチーフにするとより立体感が出て、デザイン的にも大変おしゃれである。
感謝の意をいち早く、スマートな形で列席者に伝えることができるメッセージアイテムの登場である。
【符号の説明】
【００１９】
1ａ,１ｂ・・・・・・・・・・・・・メッセージ欄付き席札
２・・・・・・・・・・・・・・・・芳名カード
３ａ,３ｂ,３ｃ,３ｄ・・・・・・・ 切り抜き線
４ａ,４ｂ,４ｃ・・・・・・・・・・折り線
５ａ,５ｂ ・・・・・・・・・・・・メッセージ欄
６ａ,６ｂ,６ｃ・・・・・・・・・・印刷
７・・・・・・・・・・・・・・・・ラインストーン
８ａ,８ｂ,８ｃ,８ｄ ・・・・・・・カバーモチーフ
９ａ,９ｂ ・・・・・・・・・・・・台紙
１０・・・・・・・・・・・・・・・メッセージパーツ
１１ａ,１１ｂ ・・・・・・・・・・メッセージパーツ貼り付け用突出部
１２・・・・・・・・・・・・・・・貼り付けシール
【図１】
2014206693.tif 000003
【図２】
2014206693.tif 000004
【図３】
2014206693.tif 000005
【図４】
2014206693.tif 000006
【図５】
2014206693.tif 000007
【図６】
2014206693.tif 000008
【図７】
2014206693.tif 000009
【図８】
2014206693.tif 000010
【図９】
2014206693.tif 000011
【図１０】
2014206693.tif 000012
【図１１】
2014206693.tif 000013
【図１２】
2014206693.tif 000014
【図１３】
2014206693.tif 000015
【図１４】
2014206693.tif 000016